(57)【要約】【課題】室内への雨水の侵入をより確実に阻止することが可能な建物を提供する。【解決手段】建物１は、第１外壁材１０と、第２外壁材２０と、規制部材３０と、腰壁材４０と、腰壁材４０の上面を覆う被覆部材５０であって、規制部材３０の下方位置よりも建物１の内側の位置から建物１の外側に向かって下向きの勾配で傾斜する傾斜部５１を含む被覆部材５０と、規制部材３０の下方位置よりも建物１の外側の位置において被覆部材５０の上面に立設され、傾斜部５１に沿って第１及び第２外壁材１０，２０よりも建物１の外側まで流れた雨水を、建物１の内外方向に交差する方向に導く形状を有する外側堰部６０と、を備えている。【選択図】図３
2019011602.tif 000002
【特許請求の範囲】
【請求項１】
建物であって、
第１上側端面と、前記第１上側端面の下側に位置する第１下側端面と、を有する第１外壁材と、
上側空間を挟んで前記第１上側端面と水平方向に対向する第２上側端面と、前記上側空間より広い下側空間を挟んで前記第１下側端面と水平方向に対向する第２下側端面と、を有する第２外壁材と、
前記上側空間内に配置される規制部材であって、前記規制部材よりも前記建物の内側への水の侵入を規制する規制部材と、
前記下側空間内に配置された先端部と、前記先端部から前記建物の外側に向かって延びる延設部と、を有する腰壁材と、
前記腰壁材の上面を覆う被覆部材であって、前記下側空間に挿入されると共に前記規制部材の下方位置又はこれよりも前記建物の内側の位置から前記建物の外側に向かって下向きの勾配で傾斜する傾斜部を含む前記被覆部材と、
前記規制部材の下方位置よりも前記建物の外側の位置において前記被覆部材の上面に立設され、前記傾斜部に沿って前記第１及び第２外壁材よりも前記建物の外側まで流れた水を、前記建物の内外方向に交差する方向に導く形状を有する外側堰部と、を備えることを特徴とする、建物。
【請求項２】
前記傾斜部は、前記規制部材の下方位置に対し前記内外方向に交差する方向の外側に位置する部分を有し、
前記傾斜部における前記規制部材の下方位置から前記内外方向に交差する方向に外れた領域に立設された部分を有する内側堰部をさらに備えることを特徴とする、請求項１に記載の建物。
【請求項３】
前記傾斜部は、前記規制部材の下方位置よりも前記建物の内側に位置する部分を有し、
前記内側堰部は、前記傾斜部における前記規制部材の下方位置から前記建物の内側に外れた領域に立設された部分をさらに有する、請求項２に記載の建物。
【請求項４】
前記腰壁材と前記第１下側端面との隙間及び前記腰壁材と前記第２下側端面との隙間をそれぞれ塞ぐ一対の腰壁用シーリング部材をさらに備え、
前記内側堰部は、前記傾斜部の先端から前記腰壁用シーリング部材よりも前記建物の外側の位置まで延びることを特徴とする、請求項２又は３に記載の建物。
【請求項５】
前記腰壁材と前記第１下側端面との隙間及び前記腰壁材と前記第２下側端面との隙間をそれぞれ塞ぐ一対の腰壁用シーリング部材をさらに備え、
前記傾斜部は、前記腰壁用シーリング部材よりも前記建物の外側の位置までの範囲で傾斜していることを特徴とする、請求項１〜４の何れか１項に記載の建物。
【請求項６】
前記先端部は、前記建物の外側から内側に向かって先細りとなる形状を有し、
前記第１及び第２下側端面は、前記先端部の挿入を許容するように、前記建物の外側から内側に向かって互いに近づくように配置された傾斜面をそれぞれ含み、
前記腰壁用シーリング部材は、前記先端部と前記傾斜面との間の隙間を塞ぐように配置されていることを特徴とする、請求項４又は５に記載の建物。
【請求項７】
前記傾斜部は、前記先端部の上面を覆う部分を含むと共に、前記先端部の形状に沿って前記建物の外側から内側に向かって先細りとなる形状を有し、
前記被覆部材は、前記傾斜面との間に隙間を空けて配置される被シール部をさらに有し、
前記腰壁用シーリング部材は、前記被シール部と前記傾斜面との間の隙間を塞ぐように配置されていることを特徴とする、請求項６に記載の建物。
【請求項８】
前記被覆部材を覆う笠木と、
前記笠木と前記第１及び第２外壁材との間に介在する笠木用シーリング部材と、をさらに備え、
前記外側堰部は、前記笠木用シーリング部材よりも前記建物の外側に位置していることを特徴とする、請求項１〜７の何れか１項に記載の建物。
【発明の詳細な説明】
【技術分野】
【０００１】
本発明は、建物に関する。
【背景技術】
【０００２】
従来、特許文献１に開示されるように、互いに隣接する複数の外壁材と、その隣接部から外側に向かって延びる腰壁と、を備えた建物が知られている。このような建物においては、隣接する外壁材の隙間を通じて室内に雨水が侵入するのを阻止するため、様々な対策が検討されている。
【０００３】
特許文献１に開示された建物は、互いに隣接する複数の外壁材と、その隣接部から外側に向かって延びる躯体と、この躯体の上面を覆う第１止水板と、隣接する外壁材の隙間に配置された第２止水板と、を備えている。この建物においては、第１止水板と第２止水板とが連続するように接続されている。これにより、隣接する外壁材の隙間に侵入する雨水を第１止水板及び第２止水板を通じて建物の外に排水可能となっている。
【先行技術文献】
【特許文献】
【０００４】
【特許文献１】実公平６−２２７２７号公報
【発明の概要】
【発明が解決しようとする課題】
【０００５】
特許文献１に開示された建物においては、隣接する外壁材の隙間に侵入する雨水を、第２止水板及び第１止水板に順に伝わせることにより、建物の外に排水することができる。しかし、この排水方向とは逆向きに、雨水が第１止水板の上面を伝って隣接する外壁材の隙間に向かって流れる場合、特許文献１の建物では、当該隙間に雨水が侵入するのを阻止することは難しい。したがって、特許文献１の建物では、室内への雨水の侵入を確実に阻止することが困難である。
【０００６】
本発明は、上記課題に鑑みてなされたものであり、その目的は、室内への雨水の侵入をより確実に阻止することが可能な建物を提供することである。
【課題を解決するための手段】
【０００７】
本発明の一局面に係る建物は、第１上側端面と、前記第１上側端面の下側に位置する第１下側端面と、を有する第１外壁材と、上側空間を挟んで前記第１上側端面と水平方向に対向する第２上側端面と、前記上側空間より広い下側空間を挟んで前記第１下側端面と水平方向に対向する第２下側端面と、を有する第２外壁材と、前記上側空間内に配置される規制部材であって、前記規制部材よりも前記建物の内側への水の侵入を規制する規制部材と、前記下側空間に挿入された先端部と、前記先端部から前記建物の外側に向かって延びる延設部と、を有する腰壁材と、前記腰壁材の上面を覆う被覆部材であって、前記下側空間に挿入されると共に前記規制部材の下方位置又はこれよりも前記建物の内側の位置から前記建物の外側に向かって下向きの勾配で傾斜する傾斜部を含む前記被覆部材と、前記規制部材の下方位置よりも前記建物の外側の位置において前記被覆部材の上面に立設され、前記傾斜部に沿って前記第１及び第２外壁材よりも前記建物の外側まで流れた水を、前記建物の内外方向に交差する方向に導く形状を有する外側堰部と、を備えている。
【０００８】
この建物によれば、第１外壁材と第２外壁材の目地におけるシーリングの劣化などに起因して、規制部材により定義される規制線の内側に雨水が侵入した場合でも、規制部材を伝って雨水を下方に流下させると共に、被覆部材の傾斜部の上面により雨水を受けることができる。そして、傾斜部に沿って第１及び第２外壁材よりも建物の外側まで流れた雨水を、外側堰部により建物の内外方向に交差する方向に導いて排水することができる。この建物においては、第１及び第２外壁材の外側から被覆部材の上面を伝って建物の内側に向かって流れる雨水を、外側堰部により堰き止めることができるため、当該雨水が規制部材よりも建物の内側に侵入するのを阻止することができる。これにより、室内への雨水の侵入をより確実に防止することが可能になる。
【０００９】
ここで、「規制部材の下方位置」とは、水平方向に沿った断面視において規制部材と重なる位置を意味する。
【００１０】
上記建物において、前記傾斜部は、前記規制部材の下方位置に対し前記内外方向に交差する方向の外側に位置する部分を有していてもよい。また上記建物は、前記傾斜部における前記規制部材の下方位置から前記内外方向に交差する方向に外れた領域に立設された部分を有する内側堰部をさらに備えていてもよい。
【００１１】
この構成によれば、上側空間を通じて落下し、傾斜部により受けられた雨水が、建物の内外方向に交差する方向における傾斜部の縁から流れ落ちるのを、内側堰部により阻止することができる。
【００１２】
上記建物において、前記傾斜部は、前記規制部材の下方位置よりも前記建物の内側に位置する部分を有していてもよい。前記内側堰部は、前記傾斜部における前記規制部材の下方位置から前記建物の内側に外れた領域に立設された部分をさらに有していてもよい。
【００１３】
この構成によれば、規制部材を伝って流下し、傾斜部により受けられた雨水が、外壁材の内面側へ流れ込むのを、内側堰部により阻止することができる。
【００１４】
上記建物は、前記腰壁材と前記第１下側端面との隙間及び前記腰壁材と前記第２下側端面との隙間をそれぞれ塞ぐ一対の腰壁用シーリング部材をさらに備えていてもよい。また前記内側堰部は、前記傾斜部の先端から前記腰壁用シーリング部材よりも前記建物の外側の位置まで延びていてもよい。
【００１５】
この構成によれば、内側堰部により雨水を腰壁用シーリング部材の外側まで確実に導くことができる。
【００１６】
上記建物は、前記腰壁材と前記第１下側端面との隙間及び前記腰壁材と前記第２下側端面との隙間をそれぞれ塞ぐ一対の腰壁用シーリング部材をさらに備えていてもよい。また前記傾斜部は、前記腰壁用シーリング部材よりも前記建物の外側の位置までの範囲で傾斜していてもよい。
【００１７】
この構成によれば、傾斜部に沿って流れる雨水を腰壁用シーリング部材よりも外側まで確実に導くことができる。
【００１８】
上記建物において、前記先端部は、前記建物の外側から内側に向かって先細りとなる形状を有していてもよい。また前記第１及び第２下側端面は、前記先端部の挿入を許容するように、前記建物の外側から内側に向かって互いに近づくように配置された傾斜面をそれぞれ含んでいてもよい。また前記腰壁用シーリング部材は、前記先端部と前記傾斜面との間の隙間を塞ぐように配置されていてもよい。
【００１９】
この構成によれば、腰壁材と第１及び第２外壁材との間をシールする領域をより広く確保することが可能になる。また腰壁材の先端部を先細り形状にすることで、当該先端部を第１外壁材と第２外壁材との間の下側空間に挿入し易くなる。
【００２０】
上記建物において、前記傾斜部は、前記先端部の上面を覆う部分を含むと共に、前記先端部の形状に沿って前記建物の外側から内側に向かって先細りとなる形状を有していてもよい。また前記被覆部材は、前記傾斜面との間に隙間を空けて配置される被シール部をさらに有していてもよい。また前記腰壁用シーリング部材は、前記被シール部と前記傾斜面との間の隙間を塞ぐように配置されていてもよい。
【００２１】
この構成によれば、被覆部材と第１及び第２外壁材との隙間を通じた雨水の侵入も確実に阻止することができる。
【００２２】
上記建物において、前記外側堰部は、前記内外方向と交差する方向に延びる形状を有していてもよい。
【００２３】
この構成によれば、被覆部材の上面を伝って外側から内側へ流れる雨水をより広い範囲に亘って堰き止めることができると共に、上側空間を通じて落下する雨水を被覆部材上の広い範囲で受けることができる。
【００２４】
上記建物は、前記被覆部材を覆う笠木と、前記笠木と前記第１及び第２外壁材との間に介在する笠木用シーリング部材と、をさらに備えていてもよい。前記外側堰部は、前記笠木用シーリング部材よりも前記建物の外側に位置していてもよい。
【００２５】
この構成によれば、笠木用シーリング部材により阻害されることなく、雨水をスムーズに建物の外に排水することが可能になる。
【発明の効果】
【００２６】
以上の説明から明らかなように、本発明によれば、室内への雨水の侵入をより確実に阻止することが可能な建物を提供することができる。
【図面の簡単な説明】
【００２７】
【図１】本発明の実施形態１に係る建物における外壁材と腰壁材との接続部を模式的に示す斜視図である。
【図２】図１中の線分ＩＩ−ＩＩに沿った上記建物の断面構造を模式的に示す図である。
【図３】図１中の線分ＩＩＩ−ＩＩＩに沿った上記建物の断面構造を模式的に示す図である。
【図４】上記建物の構成要素である被覆部材を模式的に示す斜視図である。
【図５】本発明のその他実施形態を説明するための模式図である。
【発明を実施するための形態】
【００２８】
以下、図面に基づいて、本発明の実施形態に係る建物について詳細に説明する。
【００２９】
（実施形態１）
まず、本発明の実施形態１に係る建物１について、図１〜図４を参照して説明する。図１は、建物１における第１及び第２外壁材１０，２０と腰壁材４０との接続部を斜め方向から見た図である。図２は、図１中の線分ＩＩ−ＩＩに沿った建物１の断面を示している。図３は、図１中の線分ＩＩＩ−ＩＩＩに沿った建物１の断面を示している。図４は、建物１の構成要素である被覆部材５０を斜め方向から見た図である。なお、図１では、建物１の構成要素である笠木８０の図示が省略されている。
【００３０】
建物１は、上下方向に延びると共に水平方向に並ぶ複数の縦フレーム１００，１０１（図２，図３）を含む躯体と、躯体の外側に支持された第１及び第２外壁材１０，２０と、第１及び第２外壁材１０，２０の隣接部から外側に向かって延びる腰壁材４０と、を主に備えている。図１に示すように、第１及び第２外壁材１０，２０は、上下方向に沿った姿勢で配置されると共に、水平方向において互いに隣接している。
【００３１】
第１外壁材１０は、建物１の外周部を構成するパネル状の部材であり、平面視矩形状を有している。第１外壁材１０は、例えば、セラミック製の基材と、この基材と一体形成されたＣ形鋼材からなるフレームと、を有している。図２及び図３に示すように、第１外壁材１０は、建物１の外側を向く第１外面１３と、建物１の内側（室内側）を向く第１内面１４と、第２外壁材２０側を向く第１上側端面１１と、第２外壁材２０側を向くと共に第１上側端面１１の下側に位置する第１下側端面１２と、を有している。
【００３２】
第１外面１３には、外観装飾用の凸凹形状が形成されている。図３に示すように、第１下側端面１２は、第１内面１４に接続されると共に建物１の内外方向に平行に延びる平坦面である第１平行面１２Ａと、第１外面１３に接続されると共に建物１の外側に向かい第２外壁材２０から離れるように傾斜する平坦面である第１傾斜面１２Ｂと、を含む。
【００３３】
第２外壁材２０は、第１外壁材１０と同様に、建物１の外周部を構成するパネル状の部材であり、第１外壁材１０と同じ形状及び大きさを有している。図２及び図３に示すように、第２外壁材２０は、建物１の外側を向く第２外面２３と、建物１の内側を向く第２内面２４と、第１外壁材１０側を向く第２上側端面２１と、第１外壁材１０側を向くと共に第２上側端面２１の下側に位置する第２下側端面２２と、を有している。
【００３４】
第２外面２３には、外観装飾用の凸凹形状が形成されている。図３に示すように、第２下側端面２２は、第２内面２４に接続されると共に建物１の内外方向に平行に延びる平坦面である第２平行面２２Ａと、第２外面２３に接続されると共に建物１の外側に向かい第１外壁材１０から離れるように傾斜する平坦面である第２傾斜面２２Ｂと、を含んでいる。なお、第１及び第２外面１３，２３は、凸凹形状が形成されていない平坦面であってもよい。
【００３５】
図２に示すように、第２上側端面２１は、上側空間Ｓ１を挟んで第１上側端面１１と水平方向に対向している。第１及び第２上側端面１１，２１は、建物１の内側から外側に向い相手側の端面から離れるようにそれぞれ傾斜している。このため、図２に示す断面視において、上側空間Ｓ１の水平方向の幅は、建物１の内側から外側に向かい次第に広がっている。なお、第１及び第２上側端面１１，２１は、上述のような傾斜面に限定されず、例えば建物１の内外方向に平行に延びる面であってもよい。
【００３６】
図３に示すように、第２下側端面２２は、下側空間Ｓ２を挟んで第１下側端面１２と水平方向に対向している。具体的には、第２平行面２２Ａが下側空間Ｓ２の内側領域を挟んで第１平行面１２Ａと水平方向に対向すると共に、第２傾斜面２２Ｂが下側空間Ｓ２の外側領域を挟んで第１傾斜面１２Ｂと水平方向に対向している。第１及び第２傾斜面１２Ｂ，２２Ｂは、建物１の外側から内側に向かい互いに近づくように配置されている。このため、下側空間Ｓ２の水平方向の幅は、第１及び第２平行面１２Ａ，２２Ａにより挟まれる領域においては一定であると共に、第１及び第２傾斜面１２Ｂ，２２Ｂにより挟まれる領域においては建物１の外側から内側に向かい次第に狭まっている。
【００３７】
また下側空間Ｓ２は、上側空間Ｓ１よりも広く形成されている。つまり、下側空間Ｓ２は、いずれの領域においても、その水平方向の幅が上側空間Ｓ１の水平方向の幅よりも大きくなっている。
【００３８】
図２に示すように、建物１は、上側空間Ｓ１内に配置される規制部材３０をさらに備えている。規制部材３０は、当該規制部材３０よりも建物１の内側への雨水の侵入を規制するものであり、外壁用シーリング部材３１と、当該外壁用シーリング部材３１の内側に配置された外壁用バックアップ部材３２と、を含む。
【００３９】
図１に示すように、外壁用シーリング部材３１は、上側空間Ｓ１において建物１の外側に開口する領域を塞ぐと共に、当該領域の上下方向略全体に亘って設けられている。外壁用バックアップ部材３２は、外壁用シーリング部材３１に沿って上下方向に延びている。
【００４０】
外壁用バックアップ部材３２には、雨水を下方に流下させるための内部流路が上下方向に沿って形成されている。これにより、外壁用シーリング部材３１の劣化などに起因して、雨水が外壁用シーリング部材３１の外面（規制線）よりも内側まで侵入した場合でも、外壁用バックアップ部材３２の内部流路を通じて雨水を下方に流下させることができる。なお、規制部材は、建物１の内側への水の侵入を規制可能なものであればよく、本実施形態のように外壁用バックアップ部材３２を含むものに限定されない。
【００４１】
また外壁用バックアップ部材３２は、外壁用シーリング部材３１の内側部分に接触する接触部を有している。このため、外壁用バックアップ部材３２は、外壁用シーリング部材３１が上側空間Ｓ１の内側に入り込み過ぎないように、外壁用シーリング部材３１を内側から支持する部材としても機能する。
【００４２】
腰壁材４０は、例えば、建物１におけるバルコニー手摺壁を構成するものであり、図１に示すように第１及び第２外壁材１０，２０に対して垂直方向に延びている。腰壁材４０は、第１及び第２外壁材１０，２０に対して垂直方向に延びる腰壁フレーム４５と、腰壁フレーム４５の延在方向に対して垂直方向の両側に配置された第１及び第２腰壁パネル４１，４２と、を有している。腰壁フレーム４５は、躯体に取り付けられた被取付部を有している。以下、第１及び第２腰壁パネル４１，４２が互いに対向する方向を「バルコニーの内外方向」とし、第１腰壁パネル４１が配置される側を「バルコニー内側」、第２腰壁パネル４２が配置される側を「バルコニー外側」とする。
【００４３】
図３に示すように、第１腰壁パネル４１は、その外面が第２傾斜面２２Ｂに面するように下側空間Ｓ２内に配置された第１先端部４１Ａと、当該第１先端部４１Ａから建物１の外側に向かって延びる第１延設部４１Ｂと、を有している。第１先端部４１Ａは、第２傾斜面２２Ｂとの間に隙間を有すると共に、第２傾斜面２２Ｂの傾斜に沿って建物１の外側から内側に向かって先細りとなる形状を有している。図１に示すように、第１延設部４１Ｂは、上面に段差が形成されていると共に、バルコニー内側の側面に外観装飾用の凸凹形状が形成されている。
【００４４】
第２腰壁パネル４２は、第１腰壁パネル４１と略同様の構成を有し、バルコニーの内外方向において第１腰壁パネル４１と対向している。図３に示すように、第２腰壁パネル４２は、その外面が第１傾斜面１２Ｂと面するように下側空間Ｓ２内に配置された第２先端部４２Ａと、第２先端部４２Ａから建物１の外側に向かって延びる第２延設部４２Ｂと、を有している。第２先端部４２Ａは、第１傾斜面１２Ｂの傾斜に沿って建物１の外側から内側に向かって先細りとなる形状を有している。図３に示すように、第１及び第２傾斜面１２Ｂ，２２Ｂが建物１の外側から内側に向かい互いに近づくように配置されることにより、腰壁材４０の先端部４０Ａ（第１及び第２先端部４１Ａ，４２Ａ）の挿入が許容されている。
【００４５】
図３に示すように、建物１は、腰壁材４０と第１下側端面１２との隙間及び腰壁材４０と第２下側端面２２との隙間をそれぞれ塞ぐ一対の腰壁用シーリング部材（第１腰壁用シーリング部材７１，第２腰壁用シーリング部材７２）をさらに備えている。第１腰壁用シーリング部材７１は、第１先端部４１Ａの外面と第２傾斜面２２Ｂとの間の隙間を塞ぐように配置されている。一方、第２腰壁用シーリング部材７２は、第２先端部４２Ａの外面と第１傾斜面１２Ｂとの間の隙間を塞ぐように配置されている。
【００４６】
第１腰壁用シーリング部材７１は、第１腰壁用シーリング層７５と、その内側に配置された第１腰壁用バックアップ部材７３と、を有している。同様に、第２腰壁用シーリング部材７２は、第２腰壁用シーリング層７６と、その内側に配置された第２腰壁用バックアップ部材７４と、を有している。第１腰壁用バックアップ部材７３は、第１腰壁用シーリング層７５に沿って上下方向に延びており、第２腰壁用バックアップ部材７４は、第２腰壁用シーリング層７６に沿って上下方向に延びている。これにより、第１及び第２腰壁用シーリング層７５，７６が劣化した場合でも、第１及び第２腰壁用バックアップ部材７３，７４により室内側への雨水の侵入を規制することができる。
【００４７】
図１に示すように、建物１は、腰壁材４０の上面を覆うように当該腰壁材４０の上部に被せられた板状の被覆部材５０をさらに備えている。図３に示すように、被覆部材５０は、下側空間Ｓ２に挿入されると共に腰壁材４０の先端部４０Ａの上面を覆う部分を含む傾斜部５１と、傾斜部５１から建物１の外側に延びると共に腰壁材４０の延設部４０Ｂの上面を覆う被覆部５２と、を有している。被覆部５２は、その上面が水平状態となるように配置されている。また図１に示すように、被覆部５２は、幅方向の両端側が下向きに折り曲げられており、この折曲部が腰壁材４０の上部をバルコニーの内外方向における両側から覆っている。
【００４８】
図３に示すように、傾斜部５１は、先端部４０Ａの形状に沿って建物１の外側から内側に向かって先細りとなる形状（台形形状）を有している。傾斜部５１は、規制部材３０（外壁用バックアップ部材３２）の下方位置（図３の断面視において外壁用バックアップ部材３２と重なる位置）よりも建物１の内側まで下側空間Ｓ２内に挿入されており、当該下方位置よりも建物１の内側の位置から建物１の外側に向かって下向きの勾配で傾斜している。つまり、傾斜部５１は、規制部材３０の下方位置よりも建物１の内側に位置する部分を有する。具体的には、傾斜部５１は、規制部材３０の下方位置よりも建物１の内側に位置する先端を有し、当該先端から腰壁用シーリング部材７１，７２よりも建物１の外側の位置までの範囲において一定の角度で下向きに傾斜している。図３に示すように、傾斜部５１と被覆部５２との境界Ｌ１は、腰壁用シーリング部材７１，７２よりも外側、具体的には第１及び第２外面１３，２３よりも外側に位置している。これにより、規制部材３０を伝って流下した雨水を傾斜部５１の上面により受けると共に、傾斜部５１に沿って雨水を建物１の外側に向かって導くことができる。また傾斜部５１は、規制部材３０の下方位置に対し建物１の内外方向に交差する方向（図３中の左右方向）の外側に位置する部分を有する。
【００４９】
図４に示すように、被覆部材５０は、傾斜部５１の台形形状における両斜辺の底部近傍から下向きに延設された一対の被シール部５３をさらに有している。なお、図４においては、一対の被シール部５３のうち一方のみが示されている。被覆部材５０が腰壁材４０の上部に被せられた状態（図３）において、一対の被シール部５３は、第１及び第２傾斜面１２Ｂ，２２Ｂとの間にそれぞれ隙間を空けて配置される。そして、一方の被シール部５３と第２傾斜面２２Ｂとの間の隙間が第１腰壁用シーリング部材７１により塞がれると共に、他方の被シール部５３と第１傾斜面１２Ｂとの間の隙間が第２腰壁用シーリング部材７２により塞がれている。
【００５０】
図３及び図４に示すように、建物１は、被覆部材５０の上面に立設された外側堰部６０及び内側堰部９０をさらに備えている。
【００５１】
外側堰部６０は、規制部材３０の下方位置よりも建物１の外側の位置において被覆部材５０の上面に立設されている。具体的には、外側堰部６０は、第１及び第２外面１３，２３よりも建物１の外側において被覆部５２の上面に立設されている。つまり、本実施形態における外側堰部６０は、下側空間Ｓ２内に位置せず、その全体が下側空間Ｓ２よりも建物１の外側に位置している。また本実施形態における外側堰部６０は、被覆部材５０とは別部材として形成されたものであり、任意の固定手段により被覆部材５０の上面に取り付けられている。
【００５２】
図４に示すように、外側堰部６０は、直方体形状を有し、被覆部５２の幅方向（建物１の内外方向と直交する方向）に延びる形状を有している。外側堰部６０は、被覆部５２の幅方向（建物１の内外方向と直交する方向）全体に亘って直線状に延びている。
【００５３】
外側堰部６０は、傾斜部５１に沿って第１及び第２外壁材１０，２０よりも建物１の外側まで流れた水を、建物１の内外方向に交差する方向（バルコニーの内外方向）に導く形状を有している。具体的には、図３に示すように、外側堰部６０は、直方体形状の１つの面であって建物１の内側を向く内側面６１を有している。内側面６１は、建物１の内外方向に直交する方向（バルコニーの内外方向）に延びると共に、被覆部５２の上面から略垂直に立ち上がっている。このため、傾斜部５１に沿って建物１の外側まで流れる雨水（図３中矢印Ａ１）が外側堰部６０の内側面６１により堰き止められ、雨水が流れる方向がバルコニーの内外方向に変わる（図３中矢印Ａ２）。これにより、雨水が被覆部５２の幅方向外側に導かれ、被覆部５２の縁から流下した後、腰壁材４０の側面を伝って排水される。
【００５４】
また外側堰部６０は、直方体形状の他の面であって建物１の外側を向く外側面６２を有している。外側面６２は、内側面６１に平行な面であり、内側面６１と同様に、建物１の内外方向に直交する方向に延びると共に被覆部５２の上面から略垂直に立ち上がっている。これにより、図３中矢印Ａ３で示すように、外側堰部６０よりも外側から被覆部５２の上面を伝って建物１の内側に向かって流れる雨水を、外側堰部６０の外側面６２により堰き止めることができる。外側面６２により堰き止められた雨水は、被覆部５２の幅方向外側に導かれ、被覆部５２の縁から流下する。これにより、外側堰部６０よりも外側から被覆部５２の上面を伝って流れる雨水が、下側空間Ｓ２内に侵入するのを阻止することができる。したがって、室内への雨水の侵入をより確実に防止することが可能になる。
【００５５】
図３及び図４に示すように、内側堰部９０は、傾斜部５１における規制部材３０の下方位置から建物１の内側に外れた領域に立設された部分（第１内側堰部９２）と、傾斜部５１における規制部材３０の下方位置から建物１の内外方向に交差する方向に外れた領域に立設された部分（第２及び第３内側堰部９３，９４）と、を有している。本実施形態では、第１〜第３内側堰部９２〜９４は、傾斜部５１の縁にそれぞれ立設されている。内側堰部９０は、外側堰部６０と同様に、被覆部材５０とは別部材として形成されたものであり、任意の固定手段により被覆部材５０の上面に取り付けられている。なお、内側堰部９０は、傾斜部５１の縁に立設される場合に限定されず、当該縁の内側に位置する傾斜部５１の上面に立設されていてもよい。
【００５６】
具体的には、図３に示す断面視において、第１内側堰部９２は、傾斜部５１の台形形状の上底に沿って設けられており、第２及び第３内側堰部９３，９４は、当該台形形状の両斜辺に沿って設けられている。図３に示すように、第２内側堰部９３は、傾斜部５１の先端から第１腰壁用シーリング部材７１よりも建物１の外側まで延びており、第３内側堰部９４は、傾斜部５１の先端から第２腰壁用シーリング部材７２よりも建物１の外側まで延びている。第１内側堰部９２によれば、規制部材３０を伝って流下した後、傾斜部５１により受けられた雨水が、傾斜部５１の先端から流れ落ちて第１及び第２外壁材１０，２０の内面側へ流れ込むのを阻止することができる。また第２及び第３内側堰部９３，９４によれば、傾斜部５１により受けられた雨水が、建物１の内外方向に交差する方向における傾斜部５１の両縁から流れ落ちるのを阻止することができる。
【００５７】
また第２内側堰部９３の延出端（第１腰壁用シーリング部材７１よりも外側に位置する端部）と外側堰部６０の一方端（図３中の右端）との間、及び第３内側堰部９４の延出端（第２腰壁用シーリング部材７２よりも外側に位置する端部）と外側堰部６０の他方端（図３中の左端）との間には、隙間Ｓ３がそれぞれ形成されている。上述のように、傾斜部５１に沿って建物１の外側まで流れ、外側堰部６０により堰き止められた雨水は、隙間Ｓ３を通じて排水される。
【００５８】
本実施形態において、第１〜第３内側堰部９２〜９４は、それぞれ別部材として形成されているがこれに限定されず、これらが一体形成されていてもよい。また内側堰部９０は本発明に従った建物における必須の構成要素ではなく、省略されてもよい。
【００５９】
図４に示すように、傾斜部５１の先端の下面には、第１内側堰部９２と平行に延びる脚部９５が設けられている。脚部９５は、第１内側堰部９２の下側に設けられ、傾斜部５１の先端が第１内側堰部９２と脚部９５とにより挟まれている。
【００６０】
脚部９５は、傾斜部５１の先端の下面から被覆部５２の下面までの高さを有している。また第１腰壁パネル４１と第２腰壁パネル４２との間に配置された支持板４４（図１）が脚部９５の下方位置まで下側空間Ｓ２内に挿入されており、被覆部５２の下面及び脚部９５の底面が当該支持板４４の上面に載置されている。これにより、傾斜部５１の傾斜角度を安定に保つことができる。なお、脚部９５も本発明に従った建物における必須の構成要素ではなく、省略されてもよい。
【００６１】
図２に示すように、建物１は、被覆部材５０を覆う笠木８０をさらに備えている。笠木８０は、被覆部材５０の上面及び側面を覆うように、被覆部材５０に被せられている。また建物１は、笠木８０と第１及び第２外壁材１０，２０との間に介在する笠木用シーリング部材８１をさらに備えている。図２に示すように、外側堰部６０は、笠木用シーリング部材８１よりも建物１の外側に位置している。
【００６２】
ここで、上述の通り説明した実施形態１に係る建物１の特徴及びその作用効果について列記する。
【００６３】
建物１は、第１上側端面１１と、第１上側端面１１の下側に位置する第１下側端面１２と、を有する第１外壁材１０と、上側空間Ｓ１を挟んで第１上側端面１１と水平方向に対向する第２上側端面２１と、上側空間Ｓ１より広い下側空間Ｓ２を挟んで第１下側端面１２と水平方向に対向する第２下側端面２２と、を有する第２外壁材２０と、上側空間Ｓ１内に配置される規制部材３０であって、規制部材３０よりも建物１の内側への水の侵入を規制する規制部材３０と、下側空間Ｓ２に挿入された先端部４０Ａと、先端部４０Ａから建物１の外側に向かって延びる延設部４０Ｂと、を有する腰壁材４０と、腰壁材４０の上面を覆う被覆部材５０であって、下側空間Ｓ２に挿入されると共に規制部材３０の下方位置よりも建物１の内側の位置から建物１の外側に向かって下向きの勾配で傾斜する傾斜部５１を含む被覆部材５０と、規制部材３０の下方位置よりも建物１の外側の位置において被覆部材５０の上面に立設され、傾斜部５１に沿って第１及び第２外壁材１０，２０よりも建物１の外側まで流れた水を、建物１の内外方向に交差する方向に導く形状を有する外側堰部６０と、を備えている。
【００６４】
この建物１によれば、第１外壁材１０と第２外壁材２０の目地におけるシーリングの劣化などに起因して、規制部材３０により定義される規制線の内側に雨水が侵入した場合（図１中の符号Ｒ１）でも、規制部材３０を伝って雨水を下方に流下させると共に（図１中の符号Ｒ２）、被覆部材５０の傾斜部５１の上面により雨水を受けることができる。そして、傾斜部５１に沿って第１及び第２外壁材１０，２０よりも建物１の外側まで流れた雨水を（図１中の符号Ｒ３）、外側堰部６０により建物１の内外方向に交差する方向に導いて排水することができる（図１中の符号Ｒ４）。この建物１においては、第１及び第２外壁材１０，２０の外側から被覆部材５０の上面を伝って建物１の内側に向かって流れる雨水を（図３中の符号Ａ３）、外側堰部６０により堰き止めることができるため、雨水が規制部材３０よりも建物１の内側に侵入するのを阻止することができる。これにより、室内への雨水の侵入をより確実に防止することが可能になる。
【００６５】
上記建物１において、傾斜部５１は、規制部材３０の下方位置に対し建物１の内外方向に交差する方向の外側に位置する部分を有している。また上記建物１は、傾斜部５１における規制部材３０の下方位置から建物１の内外方向に交差する方向に外れた領域に立設された部分（第２及び第３内側堰部９３，９４）を有する内側堰部９０を備えている（図３，図４）。これにより、建物１の内外方向に交差する方向における傾斜部５１の縁から雨水が流れ落ちるのを内側堰部９０により阻止することができる。
【００６６】
上記建物１において、傾斜部５１は、規制部材３０の下方位置よりも建物１の内側に位置する部分を有している。内側堰部９０は、傾斜部５１における規制部材３０の下方位置から建物１の内側に外れた領域に立設された部分（第１内側堰部９２）をさらに有する。これにより、上側空間Ｓ１を通じて落下し、傾斜部５１により受けられた雨水が、傾斜部５１の先端から流れ落ちて第１及び第２外壁材１０，２０の内面側へ流れ込むのを、内側堰部９０により阻止することができる。
【００６７】
上記建物１は、腰壁材４０と第１下側端面１２との隙間及び腰壁材４０と第２下側端面２２との隙間をそれぞれ塞ぐ一対の腰壁用シーリング部材（第１及び第２腰壁用シーリング部材７１，７２）を備えている。内側堰部９０は、傾斜部５１の先端から第１及び第２腰壁用シーリング部材７１，７２よりも建物１の外側の位置まで延びている（図３）。これにより、内側堰部９０によって雨水を第１及び第２腰壁用シーリング部材７１，７２の外側まで確実に導くことができる。
【００６８】
上記建物１において、傾斜部５１は、第１及び第２腰壁用シーリング部材７１，７２よりも建物１の外側の位置までの範囲で傾斜している。これにより、傾斜部５１に沿って流れる雨水を第１及び第２腰壁用シーリング部材７１，７２よりも外側まで確実に導くことができる。
【００６９】
上記建物１において、腰壁材４０の先端部４０Ａは、建物１の外側から内側に向かって先細りとなる形状を有している。第１及び第２下側端面１２，２２は、先端部４０Ａの挿入を許容するように、建物１の外側から内側に向かって互いに近づくように配置された第１及び第２傾斜面１２Ｂ，２２Ｂをそれぞれ含む。第１及び第２腰壁用シーリング部材７１，７２は、先端部４０Ａと第１及び第２傾斜面１２Ｂ，２２Ｂとの間の隙間を塞ぐようにそれぞれ配置されている（図３）。これにより、腰壁材４０と第１及び第２外壁材１０，２０との間をシールする領域をより広く確保することが可能になる。また腰壁材４０の先端部４０Ａを先細り形状にすることで、当該先端部４０Ａを第１外壁材１０と第２外壁材２０との間の下側空間Ｓ２に挿入し易くなる。
【００７０】
上記建物１において、傾斜部５１は、腰壁材４０の先端部４０Ａの上面を覆う部分を含むと共に、先端部４０Ａの形状に沿って建物１の外側から内側に向かって先細りとなる形状を有している（図３）。被覆部材５０は、第１及び第２傾斜面１２Ｂ，２２Ｂとの間に隙間を空けて配置される被シール部５３を有している（図４）。第１及び第２腰壁用シーリング部材７１，７２は、被シール部５３と第１及び第２傾斜面１２Ｂ，２２Ｂとの間の隙間を塞ぐようにそれぞれ配置されている。これにより、被覆部材５０と第１及び第２外壁材１０，２０との隙間を通じた雨水の侵入も確実に阻止することができる。
【００７１】
上記建物１において、外側堰部６０は、建物１の内外方向と交差する方向に延びる形状を有している（図３，図４）。これにより、被覆部材５０の上面を伝って外側から内側へ流れる雨水をより広い範囲に亘って堰き止めることができると共に、上側空間Ｓ１を通じて落下する雨水を被覆部材５０上の広い範囲で受けることができる。
【００７２】
上記建物１は、被覆部材５０を覆う笠木８０と、笠木８０と第１及び第２外壁材１０，２０との間に介在する笠木用シーリング部材８１と、を備えている（図２）。外側堰部６０は、笠木用シーリング部材８１よりも建物１の外側に位置している。これにより、笠木用シーリング部材８１により阻害されることなく、雨水をスムーズに建物１の外に排水することが可能になる。
【００７３】
（その他実施形態）
ここで、本発明のその他実施形態について説明する。
【００７４】
上記実施形態１では、外側堰部６０が一方向に延びる形状を有すると共に、その全体が下側空間Ｓ２の外側に位置する場合について説明したが、これに限定されない。例えば、図５に示すように、外側堰部６０における幅方向の一部が下側空間Ｓ２内に位置するように内側に向かって張り出していてもよい。
【００７５】
上記実施形態１では、傾斜部５１が規制部材３０の下方位置よりも建物１の内側の位置から建物１の外側に向かって傾斜する場合について説明したが、これに限定されない。傾斜部は、規制部材３０の下方位置から建物１の外側に向かって下向きの勾配で傾斜していてもよい。つまり、傾斜の始点が規制部材３０の下方位置よりも内側の位置に限定されず、規制部材３０の下方位置であってもよい。
【００７６】
上記実施形態１では、第１及び第２下側端面１２，２２が第１及び第２傾斜面１２Ｂ，２２Ｂを含む場合について説明したがこれに限定されず、第１及び第２下側端面１２，２２全体が建物１の内外方向に平行に延びる平坦面であってもよい。この場合、腰壁材４０の先端部４０Ａ及び被覆部材５０の傾斜部５１も先細り形状でなくてもよい。
【００７７】
上記実施形態１では、外側堰部６０が被覆部材５０とは別部材として形成される場合について説明したが、外側堰部６０と被覆部材５０とが一体形成されていてもよい。同様に、内側堰部９０も被覆部材５０と一体形成されていてもよい。
【００７８】
上記実施形態１では、傾斜部５１の上面全体が傾斜するように構成されているがこれに限定されず、傾斜部５１における上面の一部が水平面であってもよい。
【００７９】
また本発明に従った建物は、ガラス面材が配置されたスクリーンタイプのバルコニーを備えた建物においても適用することが可能である。この場合、ガラス面材の下側に腰壁材が配置される。そして、上記実施形態１と同様に、腰壁材の上面を覆うと共に傾斜部を含む被覆部材が配置されると共に、当該被覆部材の上面に外側堰部が立設される。
【００８０】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００８１】
１  建物
１０  第１外壁材
１１  第１上側端面
１２  第１下側端面
１２Ｂ  第１傾斜面
２０  第２外壁材
２１  第２上側端面
２２  第２下側端面
２２Ｂ  第２傾斜面
３０  規制部材
４０  腰壁材
４０Ａ  先端部
４０Ｂ  延設部
４１  第１腰壁パネル
４１Ａ  第１先端部
４１Ｂ  第１延設部
４２  第２腰壁パネル
４２Ａ  第２先端部
４２Ｂ  第２延設部
５０  被覆部材
５１  傾斜部
５２  被覆部
６０  外側堰部
７１  第１腰壁用シーリング部材
７２  第２腰壁用シーリング部材
８０  笠木
８１  笠木用シーリング部材
９０  内側堰部
Ｓ１  上側空間
Ｓ２  下側空間
【図１】
2019011602.tif 000003
【図２】
2019011602.tif 000004
【図３】
2019011602.tif 000005
【図４】
2019011602.tif 000006
【図５】
2019011602.tif 000007